(57)【要約】【課題】タイムシフト録画された所望のコンテンツを出来るだけ長期間保存することが可能であり、同時視聴するチャンネル及びタイムシフト録画するチャンネルの選択設定を簡便に行うことが可能な放送受信装置を提供する。【解決手段】実施形態の放送受信装置は、放送信号受信部と、制御部と、を有する。前記放送信号受信部は、複数のチャンネルの放送信号を受信する。前記制御部は、同時視聴するコンテンツを含む２以上のチャンネルを第１のチャンネル群として前記複数のチャンネルの中から選択して設定させるための第１の設定画面を表示部に表示させる制御を行うとともに、前記第１の設定画面において設定された設定内容に基づき、録画するコンテンツを含む１以上のチャンネルを第２のチャンネル群として前記第１のチャンネル群の中から選択して設定させるための第２の設定画面を前記表示部に表示させる制御を行う。【選択図】図２
2012029248.tif 000002
【特許請求の範囲】
【請求項１】
複数のチャンネルの放送信号を受信する放送信号受信部と、
同時視聴するコンテンツを含む２以上のチャンネルを第１のチャンネル群として前記複数のチャンネルの中から選択して設定させるための第１の設定画面を表示部に表示させる制御を行うとともに、前記第１の設定画面において設定された設定内容に基づき、録画するコンテンツを含む１以上のチャンネルを第２のチャンネル群として前記第１のチャンネル群の中から選択して設定させるための第２の設定画面を前記表示部に表示させる制御を行う制御部と、
を有することを特徴とする放送受信装置。
【請求項２】
前記制御部は、前記第２のチャンネル群として選択されているチャンネル数に応じ、録画されるコンテンツの保存可能期間を前記第２の設定画面において告知情報を出力することを特徴とする請求項１に記載の放送受信装置。
【請求項３】
前記制御部は、録画する時間帯及び曜日をそれぞれ選択して設定させることが可能な第３の設定画面を前記表示部に表示させる制御をさらに行うことを特徴とする請求項１または２に記載の放送受信装置。
【請求項４】
前記制御部は、前記放送受信装置のメンテナンスを実施する時間帯を前記第３の設定画面に表示させる制御をさらに行うことを特徴とする請求項３に記載の放送受信装置。
【請求項５】
前記制御部は、前記放送受信装置のメンテナンスの開始時刻を選択して設定させることが可能な第４の設定画面を前記表示部に表示させる制御をさらに行うことを特徴とする請求項４に記載の放送受信装置。
【請求項６】
前記制御部は、前記第３の設定画面において設定された第１の時間帯と、前記放送受信装置のメンテナンスを実施する第２の時間帯との少なくとも一部が重複していることを検出した場合に、前記第１の時間帯に重複しない他の時間帯へ前記第２の時間帯を移動させることを特徴とする請求項４または５に記載の放送受信装置。
【請求項７】
前記制御部は、前記放送受信装置に対する入力操作が可能な入力装置における所定のボタンが操作されたことに伴って送信される操作情報と、前記第２の設定画面及び前記第３の設定画面において設定された設定内容と、に基づき、現在視聴中のチャンネルのコンテンツが録画されているコンテンツであることを検出した場合に、当該コンテンツを最初から再生させる制御を行うことを特徴とする請求項３に記載の放送受信装置。
【発明の詳細な説明】
【技術分野】
【０００１】
本発明の実施形態は、デジタルテレビ放送を受信可能な放送受信装置に関する。
【背景技術】
【０００２】
複数のチャンネルのデジタルテレビ放送の放送信号を同時に受信し、受信した各チャンネルの放送信号の中から、同時視聴するチャンネル及びタイムシフト録画するチャンネルをユーザに選択設定させることが可能な放送受信装置が従来知られている。
【０００３】
具体的には、前述の放送受信装置においては、放送信号を受信した各チャンネルの中から同時視聴する２以上のチャンネルを選択することにより、該２以上のチャンネルのコンテンツを表示部の表示画面上に同時に動画表示させることができる。
【０００４】
また、前述の放送受信装置は、タイムシフト録画するチャンネルとして選択された各チャンネルの放送信号を内蔵ハードディスク装置またはＵＳＢ接続されたハードディスク装置等の記憶媒体に対して保存可能な機能を有している。そして、このような機能により、録画されたコンテンツをタイムシフト再生させることができる。
【先行技術文献】
【特許文献】
【０００５】
【特許文献１】特開２０１０−４１０７９号公報
【特許文献２】特開２０１０−１３０５５９号公報
【発明の概要】
【発明が解決しようとする課題】
【０００６】
ところで、放送信号を保存する記憶媒体の容量が有限であることを考慮した場合、録画されたコンテンツを出来るだけ長期間保存しておくには、タイムシフト録画するチャンネルを少数に絞る必要がある。
【０００７】
そのため、例えば、タイムシフト録画の対象とするチャンネルの選択と、同時視聴するチャンネルの選択とを一括しておこなうような選択設定方法や、あるいは、選択タイムシフト録画するとして選択した各チャンネルの中から同時視聴するチャンネルをユーザに選択させるような選択設定方法においては、録画不要なコンテンツまでタイムシフト録画されてしまうことにより記憶媒体の容量が速く消費され、結果的に、タイムシフト視聴の対象となる所望のコンテンツの保存期間（視聴可能時間）が短くなってしまう。
【０００８】
また、タイムシフト録画するとして選択した各チャンネルの中から同時視聴するチャンネルをユーザに選択させるような選択設定方法においては、同時視聴するチャンネルのみを変更する際の操作が、特にタイムシフト録画に含まれていないチャンネルを含めたい場合において、煩雑になってしまう。
【０００９】
そこで、本実施形態は、タイムシフト録画された所望のコンテンツを出来るだけ長期間保存することが可能であるとともに、同時視聴するチャンネル及びタイムシフト録画するチャンネルの選択設定を簡便に行うことが可能な放送受信装置を提供することを目的とする。
【課題を解決するための手段】
【００１０】
実施形態の放送受信装置は、放送信号受信部と、制御部と、を有する。前記放送信号受信部は、複数のチャンネルの放送信号を受信する。前記制御部は、同時視聴するコンテンツを含む２以上のチャンネルを第１のチャンネル群として前記複数のチャンネルの中から選択して設定させるための第１の設定画面を表示部に表示させる制御を行うとともに、前記第１の設定画面において設定された設定内容に基づき、録画するコンテンツを含む１以上のチャンネルを第２のチャンネル群として前記第１のチャンネル群の中から選択して設定させるための第２の設定画面を前記表示部に表示させる制御を行う。
【図面の簡単な説明】
【００１１】
【図１】本発明を適用したデジタルテレビジョン放送受信装置の外観と、このデジタルテレビジョン放送受信装置を中心として構成されるネットワークシステムを説明するための図。
【図２】デジタルテレビジョン放送受信装置の主要な信号処理系を示す図。
【図３】デジタルテレビジョン放送受信装置において、同時視聴するチャンネル及びタイムシフト録画するチャンネルを設定する際の処理フローの概要を示す図。
【図４】デジタルテレビジョン放送受信装置において、地上デジタルテレビ放送の機能設定に係るルートメニュー画面の表示の一例を示す図。
【図５】同時視聴するチャンネルの選択及び設定に係る設定画面の表示の一例を示す図。
【図６】同時視聴するチャンネルの選択及び設定に係る設定画面の表示の、図５とは異なる例を示す図。
【図７】タイムシフト録画をするかしないかを設定するための設定画面の表示の一例を示す図。
【図８】タイムシフト録画の機能設定に係るメニュー画面の表示の一例を示す図。
【図９】タイムシフト録画するチャンネルの選択及び設定に係る設定画面の表示の一例を示す図。
【図１０】タイムシフト録画されたコンテンツを削除してもよいか否かの選択を促す画面の表示の一例を示す図。
【図１１】タイムシフト録画されたコンテンツを削除する等の処理を実施している最中におけるメッセージ画面の表示の一例を示す図。
【図１２】タイムシフト録画されたコンテンツを削除する等の処理が完了した際におけるメッセージ画面の表示の一例を示を示す図。
【図１３】デジタルテレビジョン放送受信装置において、タイムシフト録画時間及びシステムメンテナンス時間を設定する際の処理フローの概要を示す図。
【図１４】タイムシフト録画時間の選択及び設定に係る設定画面の表示の一例を示す図。
【図１５】タイムシフト録画時間の選択及び設定に係る設定画面の表示の、図１４とは異なる例を示す図。
【図１６】システムメンテナンス時間の設定に係る設定画面の表示の一例を示す図。
【図１７】現在視聴中のチャンネルのコンテンツの頭出し再生を行う際の処理フローの概要を示す図。
【発明を実施するための形態】
【００１２】
以下、図面を参照しつつ実施形態の説明を行う。
【００１３】
図１は、この発明を適用したデジタルテレビジョン放送受信装置１１１の外観と、このデジタルテレビジョン放送受信装置１１１を中心として構成されるネットワークシステムの一例を概略的に示している。
【００１４】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えば液晶表示パネル等でなる平面パネル型の映像表示器１１４、スピーカ１１５、操作部１１６、リモートコントローラ１１７から送信される操作情報を受ける受光部１１８等が設置されている。
【００１５】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１６】
さらに、このデジタルテレビジョン放送受信装置１１１には、例えば契約情報等が記録された第２のメモリカード（ＩＣカード）１２０が着脱可能となっており、この第２のメモリカード１２０に対して情報の記録再生が行なわれるようになっている。
【００１７】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１８】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１９】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００２０】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ（ＰＣ）１２８、ＨＤＤ内蔵のＤＶＤ（Digital Versatile Disk）レコーダ１２９等の機器が接続され、これらの機器と情報伝送を行なうために使用される。
【００２１】
なお、コンテンツサーバ１２８については、家庭内ネットワークにおいてコンテンツの
サーバ機器として動作するための機能を持ち、さらにコンテンツのアクセスに必要なＵＲ
Ｉ（Uniform Resource Identifier）情報を提供するサービスを備えたＵＰｎＰ（ユニバ
ーサルプラグアンドプレイ）対応機器として構成される。
【００２２】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０が設けられている。
【００２３】
さらに、この第２のＬＡＮ端子１２２は、ハブ１２６に接続されたブロードバンドルータ１３１を介して、例えばインターネット等のネットワーク１３２に接続され、このネットワーク１３２を介してコンテンツサーバ（ＰＣ）１３３や携帯電話１３４等と情報伝送を行なうために使用される。
【００２４】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２５】
また、ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器が接続され、これらのＵＳＢ機器と情報伝送を行なうために使用される。
【００２６】
さらに、ｉ．ＬＩＮＫ端子１２４は、例えばＡＶ−ＨＤＤ１４１、Ｄ（Digital）−ＶＨＳ（Video Home System）１４２等がシリアル接続され、これらの機器と情報伝送を行なうために使用される。
【００２７】
図２は、上記したデジタルテレビジョン放送受信装置１１１の主要な信号処理系を示している。
【００２８】
すなわち、ＢＳ／ＣＳデジタル放送受信用のアンテナ２４３で受信した衛星デジタルテレビジョン放送信号は、入力端子２４４を介して衛星デジタル放送用の１または複数のチューナを備えたチューナ部２４５ａに供給される。
【００２９】
チューナ部２４５ａは、制御部２６１からの制御信号により所望のチャンネルの放送信号を選局し、この選局された放送信号をＰＳＫ（Phase Shift Keying）復調器２４５ｂに出力する。
【００３０】
ＰＳＫ復調器２４５ｂは、制御部２６１からの制御信号により、チューナ部２４５ａで選局された放送信号を復調し、所望の番組を含んだトランスポートストリームを得て、ＴＳ復号器２４５ｃに出力する。
【００３１】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ（図示省略）２４７ｆに出力する。
【００３２】
また、ＴＳ復号器２４５ｃは、デジタル放送により送られているセクション情報を信号処理部２４７内のセクション処理部（図示省略）２４７ｈに出力する。
【００３３】
また、地上波放送受信用のアンテナ２４８で受信した地上デジタルテレビジョン放送信号は、入力端子２４９を介して地上デジタル放送用の複数のチューナを備えたチューナ部２５０ａに供給される。
【００３４】
チューナ部２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３５】
ＯＦＤＭ復調器２５０ｂは、制御部２６１からの制御信号により、チューナ部２５０ａで選局された放送信号を復調し、所望の番組を含んだトランスポートストリームを得て、ＴＳ復号器２５０ｃに出力する。
【００３６】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファに出力する。
【００３７】
また、ＴＳ復号器２５０ｃは、デジタル放送により送られているセクション情報を信号処理部２４７内のセクション処理部に出力する。
【００３８】
信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力する。また、信号処理部２４７は、コンテンツ再生時には、制御部２６１から入力されたコンテンツの再生信号を選択し、所定のデジタル信号処理を施し、グラフィック処理部２５４及び音声処理部２５５に出力する。
【００３９】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００４０】
制御部２６１は、これら入力された情報からＥＰＧ，字幕を表示するため画像生成処理を行い、この生成した画像情報をグラフィック処理部２５４に出力する。
【００４１】
信号処理部２４７内のセクション処理部は、ＴＳ復号器２４５ｃ，２５０ｃから入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１に出力する。
【００４２】
グラフィック処理部２５４は、（１）信号処理部２４７内のＡＶデコーダ（図示省略）から供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８に出力する機能を有する。
【００４３】
また、字幕放送による字幕を表示するとき、グラフィック処理部２５４は、制御部２６１からの制御による字幕情報に基づき、映像信号上に字幕情報を重畳する処理を行う。
【００４４】
グラフィック処理部２５４から出力されたデジタルの映像信号は、映像処理部２５８に供給される。この映像処理部２５８は、入力されたデジタルの映像信号を、映像表示器１１４で表示可能なフォーマットのアナログ映像信号に変換した後、映像表示器１１４に出力して映像表示させるとともに、出力端子２５９を介して外部に導出させる。
【００４５】
また、音声処理部２５５は、入力されたデジタルの音声信号を、スピーカ１１５で再生可能なフォーマットのアナログ音声信号に変換した後、スピーカ１１５に出力して音声再生させるとともに、出力端子２６０を介して外部に導出させる。
【００４６】
このデジタルテレビジョン放送受信装置１１１は、上記した各種の受信動作を含むその
全ての動作を制御部２６１によって統括的に制御されている。この制御部２６１は、ＣＰ
Ｕ（Central Processing Unit）等を内蔵しており、操作部１１６（図１参照）からの操
作情報を受け、または、リモートコントローラ１１７から送出された操作情報を、受光部
１１８を介して受信し、その操作内容が反映されるように各部をそれぞれ制御している。
【００４７】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４８】
また、この制御部２６１は、カードＩ／Ｆ（Interface）２６５を介して、第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４９】
さらに、制御部２６１は、カードＩ／Ｆ２６７を介して、第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００５０】
また、制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００５１】
さらに、制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００５２】
また、制御部２６１は、ＵＳＢ  Ｉ／Ｆ２７１を介してＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００５３】
さらに、制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００５４】
また、制御部２６１は、内蔵ＨＤＤ２７３に接続されている。これにより、制御部２６１は、受信した画像又は外部から取り込んだ画像を内蔵ＨＤＤ２７３に記録すると共に、内蔵ＨＤＤ２７３に記録されている画像を読み出すことができる。
【００５５】
ところで、この実施形態では内蔵ＨＤＤ２７３に、内蔵ＨＤＤ２７３、ＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。なお、内蔵ＨＤＤ２７３を含み、コンテンツを記憶媒体に記録可能な装置を機器として説明する。
【００５６】
また、制御部２６１は、不揮発性メモリ２６１ｃに、内蔵ＨＤＤ２７３、ＨＤＤ１２５、ＨＤＤ１２７、コンテンツサーバ１２８、ＤＶＤレコーダ１２９それぞれのストレージＩＤを記憶させてもよい。
【００５７】
また、制御部２６１は、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆと、（４）設定処理機能２６１ｇと、を備えている。
【００５８】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５９】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００６０】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００６１】
（４）制御部２６１は、ＲＯＭ２６１ａに格納された画面データ、及び、不揮発性メモリ２６１ｃに格納された設定データを読み込んでＯＳＤ信号生成部２５７及びグラフィック処理部２５４を制御することにより、種々の設定画面等を映像表示器１１４の表示画面上に表示させることができる。これにより、制御部２６１は、例えば、様々な機能設定に係るメニュー画面、同時視聴するチャンネルの選択及び設定に係る設定画面、タイムシフト録画するチャンネルの選択及び設定に係る設定画面、録画時間の選択及び設定に係る設定画面、システムメンテナンスの実施時間の選択及び設定に係る設定画面、及び、確認画面等を映像表示器１１４の表示画面上に表示させることができる。そして、制御部２６１は、設定処理機能２６１ｇにより、種々の設定画面における設定内容が更新された場合等に、不揮発性メモリ２６１ｃの設定データを更新後の設定データで上書きするとともに、不揮発性メモリ２６１ｃに格納されたデータに応じてデジタルテレビジョン放送受信装置１１１の各部を動作させるための制御を行う。
【００６２】
また、制御部２６１は、各機器に記録されているコンテンツのコピープロテクトに関する情報を読み出すと共に、各コンテンツのコピープロテクト情報を必要に応じて修正することができるようになっている。
【００６３】
次に、このように構成された本実施の形態において、同時視聴するチャンネル及びタイムシフト録画するチャンネルをそれぞれ設定する際の詳細について、図３から図９を主に参照しつつ説明する。図３は、デジタルテレビジョン放送受信装置１１１において、同時視聴するチャンネル及びタイムシフト録画するチャンネルを設定する際の処理フローの概要を示している。
【００６４】
ところで、デジタルテレビジョン放送受信装置１１１は、アンテナ２４８によりデジタルテレビ放送の放送信号を受信し、チューナ部２５０ａにより選局された所望の１または複数のチャンネルの放送信号を内蔵ＨＤＤ２７３等の記憶媒体に順次保存するように構成されている。さらに、デジタルテレビジョン放送受信装置１１１は、制御部２６１等の各部の動作により、前記記憶媒体に保存された放送信号に応じたコンテンツを前記記憶媒体の容量等に応じて決定される所定の期間内において視聴できるように構成されている。そのため、以上に述べた構成に応じて行われるデジタルテレビジョン放送受信装置１１１の各部の動作及び処理等を総称して、便宜的に「タイムシフト録画」と呼ぶこととする。
【００６５】
まず、制御部２６１は、図３のステップＳ１において、チューナ部２５０ａ等を制御してスキャン動作させることにより、地上デジタルテレビジョン放送信号を受信可能なチャンネルを検出した後、この検出結果を不揮発性メモリ２６１ｃに格納する。
【００６６】
その後、制御部２６１は、図３のステップＳ２において、図３のステップＳ１の検出結果を不揮発性メモリ２６１ｃから読み込むことにより、同時視聴するチャンネルを設定するための処理等を行う。
【００６７】
ここで、図３のステップＳ２において行われる処理及び動作の具体例について説明を行う。図４は、デジタルテレビジョン放送受信装置１１１において、地上デジタルテレビ放送の機能設定に係るルートメニュー画面の表示の一例を示している。図５及び図６は、同時視聴するチャンネルの選択及び設定に係る設定画面の表示の一例を示している。
【００６８】
制御部２６１は、リモートコントローラ１１７に設けられた「設定メニュー」ボタン等の操作に伴って送信される操作情報に基づき、例えば図４に示すような、地上デジタルテレビ放送の機能設定に係るルートメニュー画面を映像表示器１１４の表示画面１１４ａ上に表示させる。
【００６９】
図４のルートメニュー画面は、「基本設定」、「マルチ画面チャンネル設定」、及び、「タイムシフトマシン録画設定」の選択ボタンが表示されるメニュー表示部を有して構成されている。
【００７０】
さらに、制御部２６１は、リモートコントローラ１１７に設けられた「マルチ画面」ボタン等の操作に伴って送信される操作情報に基づき、図４のルートメニュー画面における選択ボタン「マルチ画面チャンネル設定」が選択されたことを検出すると、例えば図５に示すような、同時視聴するチャンネルの選択及び設定に係る設定画面を映像表示器１１４の表示画面１１４ａ上に表示させる。
【００７１】
図５及び図６に示す設定画面（「マルチ画面チャンネル設定」）においては、図３のステップＳ１の検出結果として得られた各チャンネル、すなわち、地上デジタルテレビジョン放送信号を受信可能な各チャンネルが受信可能チャンネルリスト３０１ａ内に挙げられている。
【００７２】
図５及び図６に示す設定画面においては、リモートコントローラ１１７に設けられた「∧」ボタン及び「∨」ボタン等の操作に応じて受信可能チャンネルリスト３０１ａを上下にスクロールさせることにより、図３のステップＳ１の検出結果として得られた各チャンネルをユーザが確認できるように、スクロールバー３０１ｂが受信可能チャンネルリスト３０１ａの近傍に配置されている。そのため、ユーザは、リモートコントローラ１１７の「∨」ボタン等を操作することにより、受信可能チャンネルリスト３０１ａの表示状態を図５に示すものから図６に示すものへ遷移させることができる。また、ユーザは、リモートコントローラ１１７の「∧」ボタン等を操作することにより、受信可能チャンネルリスト３０１ａの表示状態を図６に示すものから図５に示すものへ遷移させることができる。
【００７３】
図５及び図６に示す設定画面においては、受信可能チャンネルリスト３０１ａに挙げられた各チャンネルの中から同時視聴するチャンネルをユーザが選択できるように、チェックボックス３０１ｃが受信可能チャンネルリスト３０１ａの各チャンネル毎に設けられている。そのため、ユーザは、リモートコントローラ１１７の「∧」ボタン、「∨」ボタン及び「決定」ボタン等を操作して、受信可能チャンネルリスト３０１ａの各チャンネルに対応するチェックボックス３０１ｃのチェックを付すまたは外すことにより、同時視聴するチャンネル及び同時視聴しないチャンネルを受信可能チャンネルリスト３０１ａの中から個別に選択することができる。
【００７４】
なお、図５及び図６に示す受信可能チャンネルリスト３０１ａにおいては、例えば、「第１のテレビ局」の「地デジ ０１１」と「地デジ ０１２」との両方にチェックボックス３０１ｃが設けられており、すなわち、同一のテレビ局の別々のチャンネルについて、同時視聴する／しないをそれぞれ設定できるようになっている。
【００７５】
また、図５及び図６に示す受信可能チャンネルリスト３０１ａにおいては、ここでは、８個までチェックボックス３０１ｃのチェックを付すことができ、すなわち、最大で８チャンネルを同時視聴する設定ができるようになっている。なお、同時視聴可能するとして設定可能な最大チャンネル数は、チューナ部２４５ａ及びチューナ部２５０ａに設けられたチューナの数に応じて決定されるものであり、不揮発性メモリ２６１ｃに予め格納されている情報である。そのため、同時視聴可能するとして設定可能な最大チャンネル数は、８個に限らず、チューナ部２４５ａ及びチューナ部２５０ａに設けられたチューナの数に応じて適宜増減させることもできる。
【００７６】
ここで、制御部２６１は、同時視聴可能するとして設定可能な最大チャンネル数の情報を不揮発性メモリ２６１ｃから読み込み、いずれのチェックボックス３０１ｃにもチェックが付されていない場合、及び、チェックボックス３０１ｃに所定の数（例えば９個）以上のチェックが付されている場合等に、不適切な設定がなされている旨を示すメッセージ（「チャンネルが指定されていません」、及び、「これ以上指定できません」等）をＯＳＤにより表示させる。
【００７７】
そして、制御部２６１は、リモートコントローラ１１７の所定のボタンの操作に基づき、図５及び図６に示す設定画面に含まれる設定完了ボタン３１１ｄが選択されたことを検出すると、チェックボックス３０１ｃのチェックが付された各チャンネルを同時視聴するチャンネルとして設定するとともに、この設定内容を不揮発性メモリ２６１ｃに格納する。
【００７８】
なお、図３のステップＳ２において、同時視聴するチャンネルとして設定された設定内容は、マルチ画面チャンネル表示において同時に動画表示する際に反映されるものに限らず、例えば、電子番組ガイド（ＥＰＧ）とともに動画表示する際に反映されるものであってもよく、または、メイン画面における表番組（本放送）とサブ画面における裏番組とを同時に動画表示する際に反映されるものであってもよい。
【００７９】
一方、制御部２６１は、図３のステップＳ３において、図３のステップＳ２で設定された同時視聴するチャンネルを不揮発性メモリ２６１ｃから読み込むことにより、タイムシフト録画するチャンネルを設定するための処理等を行う。
【００８０】
ここで、図３のステップＳ３において行われる処理及び動作の具体例について説明を行う。図７は、タイムシフト録画をするかしないかを設定するための設定画面の表示の一例を示している。
【００８１】
制御部２６１は、リモートコントローラ１１７に設けられた「タイムシフト」ボタン等の操作に伴って送信される操作情報に基づき、図４のルートメニュー画面における選択ボタン「タイムシフトマシン録画設定」が選択されたことを検出すると、例えば図７に示すような、タイムシフト録画をするかしないかを設定するための設定画面を映像表示器１１４の表示画面１１４ａ上に表示させる。
【００８２】
図８は、タイムシフト録画の機能設定に係るメニュー画面の表示の一例を示している。
【００８３】
そして、制御部２６１は、リモートコントローラ１１７に設けられた「∧」ボタン、「∨」ボタン及び「決定」ボタン等の操作に伴って送信される操作情報に基づき、図７の設定画面において、タイムシフト録画をする／しないのいずれかが選択された状態でリモートコントローラ１１７の「決定」ボタンが操作されたことを検出すると、例えば図８に示すような、タイムシフト録画の機能設定に係るメニュー画面を映像表示器１１４の表示画面１１４ａ上に表示させる。
【００８４】
図８のメニュー画面は、「タイムシフトマシン録画」、「録画チャンネル」、「録画時間」、及び、「システムメンテナンス時間」の選択ボタンを有して構成されている。
【００８５】
図９は、タイムシフト録画するチャンネルの選択及び設定に係る設定画面の表示の一例を示している。
【００８６】
さらに、制御部２６１は、リモートコントローラ１１７に設けられた所定のボタンの操作に伴って送信される操作情報に基づき、図８のメニュー画面における選択ボタン「録画チャンネル」が選択されたことを検出すると、例えば図９に示すような、タイムシフト録画するチャンネルの選択及び設定に係る設定画面を映像表示器１１４の表示画面１１４ａ上に表示させる。なお、図９に示す設定画面は、タイムシフト録画の動作中には表示されないものとする。
【００８７】
図９に示す設定画面（「録画チャンネル」）においては、図３のステップＳ２により設定された各チャンネル、すなわち、同時視聴するとして設定された各チャンネルが録画チャンネルリスト３１１ａ内に挙げられている。
【００８８】
図９に示す設定画面においては、録画チャンネルリスト３１１ａに挙げられた各チャンネルの中からタイムシフト録画するチャンネルをユーザが選択できるように、チェックボックス３１１ｂが録画チャンネルリスト３１１ａの各チャンネル毎に設けられている。そのため、ユーザは、リモートコントローラ１１７の「∧」ボタン、「∨」ボタン及び「決定」ボタン等を操作して、録画チャンネルリスト３１１ａの各チャンネルに対応するチェックボックス３１１ｂのチェックを付すまたは外すことにより、タイムシフト録画するチャンネル及びタイムシフト録画しないチャンネルを録画チャンネルリスト３１１ａの中から個別に選択することができる。
【００８９】
ここで、制御部２６１は、いずれのチェックボックス３１１ｂにもチェックが付されていない場合等に、不適切な設定がなされている旨を示すメッセージ（「チャンネルが指定されていません」等）をＯＳＤにより表示させる。
【００９０】
図９に示す設定画面においては、タイムシフト録画される各チャンネルのコンテンツの視聴可能時間（保存可能期間）をユーザに告知するためのメッセージ欄３１１ｃが録画チャンネルリスト３１１ａの近傍に配置されている。具体的な処理としては、例えば、内蔵ＨＤＤ２７３の容量の検知結果と、各チェックボックス３１１ｂのうちのチェックを付されているチャンネルの数と、タイムシフト録画用に予め設定された所定のビットレートと、を用いた演算を制御部２６１が行い、さらに、この演算結果に応じた文字列等をメッセージ欄３１１ｃに表示させる制御を制御部２６１が行うことにより、前述の視聴可能時間（保存可能期間）をユーザに告知することができる。
【００９１】
図１０は、タイムシフト録画されたコンテンツを削除してもよいか否かの選択を促す画面の表示の一例を示している。
【００９２】
一方、制御部２６１は、リモートコントローラ１１７の所定のボタンの操作に基づき、図９に示す設定画面に含まれる設定完了ボタン３１１ｄが選択された直後に、不揮発性メモリ２６１ｃに格納された元の設定内容と、図９に示す設定画面において設定された新たな設定内容と、を比較する。そして、制御部２６１は、この比較結果に基づいてタイムシフト録画するチャンネル数に変更があったことを検出すると、例えば図１０に示すような、内蔵ＨＤＤ２７３にタイムシフト録画されたコンテンツを削除してもよいか否かの選択を促す画面を表示させる。
【００９３】
図１１は、タイムシフト録画されたコンテンツを削除する等の処理を実施している最中におけるメッセージ画面の表示の一例を示している。図１２は、タイムシフト録画されたコンテンツを削除する等の処理が完了した際におけるメッセージ画面の表示の一例を示している。
【００９４】
制御部２６１は、リモートコントローラ１１７の所定のボタンの操作に基づき、図１０に示す画面において「いいえ」が選択された場合には、図９に示す設定画面において設定された新たな設定内容を破棄するとともに、不揮発性メモリ２６１ｃに格納された元の設定内容が適用されるように各部を制御する。また、制御部２６１は、リモートコントローラ１１７の所定のボタンの操作に基づき、図１０に示す画面において「はい」が選択された場合には、図９に示す設定画面において設定された新たな設定内容を不揮発性メモリ２６１ｃに格納し、内蔵ＨＤＤ２７３をフォーマットすることによりタイムシフト録画されたコンテンツを削除し、さらに、これらの処理を実施している最中である旨を示す図１１のメッセージ画面を映像表示器１１４の表示画面１１４ａ上に表示させる。なお、図１１のメッセージ画面に表示される文字列のうち、「設定を変更しています。」の文字列については、青文字かつ点滅表示されるものとする。そして、制御部２６１は、前述の処理が完了した際に、図１２のメッセージ画面を映像表示器１１４の表示画面１１４ａ上に表示させる。
【００９５】
なお、制御部２６１は、タイムシフト録画するチャンネルが変更された際に必ず内蔵ＨＤＤ２７３のフォーマットを行うものに限らず、例えば、タイムシフト録画するチャンネルが変更されたにも係わらず内蔵ＨＤＤ２７３の内部の分割状態が変更されないことを検出した場合に、内蔵ＨＤＤ２７３のフォーマットを行わなくともよい。さらに、制御部２６１は、タイムシフト録画するチャンネルが変更されたにも係わらず内蔵ＨＤＤ２７３の内部の分割状態が変更されないことを検出した場合であって、かつ、タイムシフト録画するチャンネルの変更前後において同一のチャンネルが設定されていることを検出した場合に、当該同一のチャンネルのタイムシフト録画されたコンテンツについては削除しないようにしてもよい。
【００９６】
続いて、前述のように構成された本実施の形態において、タイムシフト録画時間及びシステムメンテナンス時間をそれぞれ設定する際の詳細について、図１３から図１６を主に参照しつつ説明する。図１３は、デジタルテレビジョン放送受信装置１１１において、タイムシフト録画時間及びシステムメンテナンス時間を設定する際の処理フローの概要を示している。図１４は、タイムシフト録画時間の選択及び設定に係る設定画面の表示の一例を示している。図１５は、タイムシフト録画時間の選択及び設定に係る設定画面の表示の、図１４とは異なる例を示している。
【００９７】
まず、制御部２６１は、図１３のステップＳ１１において、リモートコントローラ１１７に設けられた所定のボタンの操作に伴って送信される操作情報に基づき、図８のメニュー画面における選択ボタン「録画時間」が選択されたことを検出すると、例えば図１４（及び図１５）に示すような、タイムシフト録画時間の選択及び設定に係る設定画面を映像表示器１１４の表示画面１１４ａ上に表示させる。なお、図１４及び図１５に示す設定画面は、タイムシフト録画の動作中には表示されないものとする。
【００９８】
図１４及び図１５に示す設定画面においては、タイムシフト録画を行う時間帯及び曜日を選択及び設定するためのタイムテーブル３２１ａが設けられている。タイムテーブル３２１ａは、図１４及び図１５に示すように、複数のＯＳＤボタン等がマトリクス状に配置されたものとして構成されている。また、図１４及び図１５に示す示す設定画面のタイムテーブル３２１ａによれば、例えば、マトリクスの左端の縦軸方向に沿ってＡ．Ｍ．０：００〜Ｐ．Ｍ．１２：００の１日分の時間帯が（１時間単位で）並べて表示され、かつ、該マトリクスの上端の横軸方向に沿って日曜日〜土曜日の１週間分の曜日が並べて表示されるようになっている。そのため、ユーザは、タイムテーブル３２１ａを見ながらリモートコントローラ１１７の「∧」ボタン、「∨」ボタン、「＜」ボタン、「＞」ボタン、及び、「決定」ボタン等を操作することにより、太枠で示すカーソルを移動させて、タイムシフト録画を行う時間帯及び曜日を選択することができるとともに、タイムシフト録画を行うものとして選択済の時間帯及び曜日を非選択状態にすることができる。そして、このような操作により、例えば、図１４に示すタイムテーブル３２１ａにおいてタイムシフト録画を行う時間帯及び曜日が新たに選択された場合には、当該時間帯及び当該曜日にあたるＯＳＤボタンが図１５に示すようにハイライト表示される。また、前述の操作により、例えば、図１５に示すタイムテーブル３２１ａにおいて既にハイライト表示されている時間帯及び曜日が選択された場合には、当該時間帯及び当該曜日にあたるＯＳＤボタンのハイライト表示が図１４に示すように解除される。
【００９９】
なお、本実施の形態によれば、全ての時間帯及び曜日において一括でタイムシフト録画する／しないの選択を行うことができるような、例えば、「すべて」と書かれたＯＳＤボタンをタイムテーブル３２１ａ内に設けるものであってもよい。さらに、本実施の形態によれば、図１４または図１５に示す設定画面が表示される際に、前述の「すべて」と書かれたＯＳＤボタン、または、タイムテーブル３２１ａ内の最も左端かつ最も上端のＯＳＤボタンのいずれかがフォーカスされる（図１４及び図１５に示す太枠のカーソルにより囲まれる）ようにタイムテーブル３２１ａを構成してもよい。
【０１００】
一方、本実施の形態によれば、タイムテーブル３２１ａ内に並べて表示された各時間帯のうち、一の時間帯にあたるＯＳＤボタンを選択することにより、全ての曜日の前記一の時間帯においてタイムシフト録画する／しないの選択を行うことができるようにタイムテーブル３２１ａを構成してもよい。さらに、本実施の形態によれば、タイムテーブル３２１ａ内に並べて表示された各曜日のうち、一の曜日にあたるＯＳＤボタンを選択することにより、前記一の曜日の全ての時間帯においてタイムシフト録画する／しないの選択を行うことができるようにタイムテーブル３２１ａを構成してもよい。
【０１０１】
そして、制御部２６１は、リモートコントローラ１１７に設けられた所定のボタンの操作に基づき、タイムテーブル３２１ａにおけるタイムシフト録画を行う時間帯及び曜日の設定が確定されたことを検出すると、この確定された設定内容を不揮発性メモリ２６１ｃに格納する。
【０１０２】
図１６は、システムメンテナンス時間の設定に係る設定画面の表示の一例を示している。
【０１０３】
制御部２６１は、図１３のステップＳ１２において、リモートコントローラ１１７に設けられた所定のボタンの操作に伴って送信される操作情報に基づき、図８のメニュー画面における選択ボタン「システムメンテナンス時間」が選択されたことを検出すると、例えば図１６に示すような、システムメンテナンス時間の設定に係る設定画面を映像表示器１１４の表示画面１１４ａ上に表示させる。なお、図１６に示す設定画面は、タイムシフト録画の動作中には表示されないものとする。
【０１０４】
図１６に示す設定画面（「システムメンテナンス時間」）においては、システムメンテナンスの開始時刻における「時」の桁及び「分」の桁を個別に設定でき、かつ、変更された開始時刻から所定時間後（例えば１０分後）の時刻がシステムメンテナンスの終了時刻として設定及び表示されるように構成されている。なお、図１６に示す設定画面の「分」の桁には、例えば、「００」、「１０」、「２０」、「３０」、「４０」、及び、「５０」のうちのいずれかのみが表示されるように構成されている。そのため、ユーザは、図１６に示す設定画面を見ながらリモートコントローラ１１７の「∧」ボタン、「∨」ボタン、「＜」ボタン、「＞」ボタン、及び、「決定」ボタン等を操作して「時」の桁と「分」の桁とを個別に変更することにより、システムメンテナンスの開始時刻を１０分単位で設定することができる。
【０１０５】
制御部２６１は、リモートコントローラ１１７に設けられた所定のボタンの操作に基づき、図１６に示す設定画面におけるシステムメンテナンスの開始時刻及び終了時刻の設定が確定されたことを検出すると、この確定された設定内容を不揮発性メモリ２６１ｃに格納する。
【０１０６】
そして、制御部２６１は、図１４及び図１５に示す設定画面を生成して表示させる際に、不揮発性メモリ２６１ｃに格納されたタイムシフト録画時間の設定内容とシステムメンテナンス時間の設定内容とを併せて読み込むことにより、タイムシフト録画するとして選択された時間帯と、システムメンテナンスの開始時刻及び終了時刻を両方含む時間帯（システムメンテナンスの実施時間帯）とを、タイムテーブル３２１ａ内において一緒にかつ視覚的に区別できるようにハイライト表示させる。
【０１０７】
ところで、本実施の形態においては、システムメンテナンス時間として設定された時間の間に、デジタルテレビジョン放送受信装置１１１の再起動を少なくとも含む、メンテナンスに係る動作及び処理が制御部２６１の制御により行われる。そのため、システムメンテナンスを実施している最中においては、タイムシフト録画に係る動作を一時的に停止する必要が生じる。
【０１０８】
そこで、制御部２６１は、図１３のステップＳ１３において、不揮発性メモリ２６１ｃに格納された設定内容を読み込むことにより、タイムシフト録画するとして設定された時間帯と、システムメンテナンスの開始時刻及び終了時刻として設定された時間帯とが重複しているか否かの判定を行う。
【０１０９】
そして、制御部２６１は、図１３のステップＳ１３において、前述の２つの時間帯が全く重複していないことを検出すると、不揮発性メモリ２６１ｃに格納されたシステムメンテナンスの開始時刻から終了時刻までの間においてデジタルテレビジョン放送受信装置１１１のシステムメンテナンスが行われるようにする。また、制御部２６１は、図１３のステップＳ１３において、前述の２つの時間帯の少なくとも一部が重複していることを検出すると、図１３のステップＳ１４の処理を続けて行う。
【０１１０】
制御部２６１は、図１３のステップＳ１４において、不揮発性メモリ２６１ｃに格納されたシステムメンテナンスの開始時刻及び終了時刻を書きかえることにより、タイムシフト録画するとして設定された時間帯に重複しない他の時間帯へシステムメンテナンス時間を移動させる。このとき、不揮発性メモリ２６１ｃに格納されたシステムメンテナンス時間の設定内容が変更されるため、タイムテーブル３２１ａ内においてシステムメンテナンスの実施時間帯としてハイライト表示される時間帯も併せて変更される。
【０１１１】
図１７は、現在視聴中のチャンネルのコンテンツの頭出し再生を行う際の処理フローの概要を示している。
【０１１２】
一方、制御部２６１は、図１７のステップＳ２１において、リモートコントローラ１１７に設けられた、例えば、「始めにジャンプ」等のボタン１１７ａが操作されたか否かを判定する。
【０１１３】
さらに、制御部２６１は、図１７のステップＳ２２において、ボタン１１７ａが操作されたことに伴って送信される操作情報に基づき、例えば、タイムシフト録画に係る設定内容（タイムシフト録画するチャンネルであるか否かの設定、及び、タイムシフト録画する時間帯の設定）を不揮発性メモリ２６１ｃから読み込む等の処理を行うことにより、現在視聴中のチャンネルのコンテンツがタイムシフト録画されているコンテンツであるか否かの判定を行う。
【０１１４】
そして、制御部２６１は、図１７のステップＳ２３において、タイムシフト録画されている現在視聴中のチャンネルのコンテンツを最初から再生させる（頭出し再生させる）ための制御を、デジタルテレビジョン放送受信装置１１１の各部に対して行う。
【０１１５】
すなわち、所望のチャンネルのコンテンツが視聴されている（映像表示器１１４の表示画面１１４ａ上に表示されている）最中において「始めにジャンプ」等のボタン１１７ａが操作（押下）されることにより、当該視聴中のコンテンツがタイムシフト録画開始時刻からタイムシフト再生される。なお、このようなタイムシフト再生に係る動作等は、ボタン１１７ａが押下された際の所望のチャンネルのコンテンツがタイムシフト録画するとして設定されており、かつ、当該コンテンツの少なくとも一部がタイムシフト録画されている場合にのみ実施され、これ以外の場合には実施されないものとする。また、前述のタイムシフト再生に係る動作等が実施されない場合において、例えば、「操作できません。」等の文字列が映像表示器１１４の表示画面１１４ａ上に表示されるものとする。
【０１１６】
以上に述べたように、本実施の形態によれば、同時視聴するとして選択された各チャンネルの中から、タイムシフト録画するチャンネルを選択できるようにしている。そのため、本実施の形態によれば、タイムシフト録画された所望のコンテンツを出来るだけ長期間保存することができるとともに、同時視聴するチャンネル及びタイムシフト録画するチャンネルの選択設定を簡便に行うことができる。
【０１１７】
なお、本発明は、上述した各実施例に限定されるものではなく、発明の趣旨を逸脱しない範囲内において種々の変更や応用が可能であることは勿論である。
【符号の説明】
【０１１８】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ、２５０ａ…チューナ部、２６１…制御部、２６１ｃ…不揮発性メモリ。
【図１】
2012029248.tif 000003
【図２】
2012029248.tif 000004
【図３】
2012029248.tif 000005
【図４】
2012029248.tif 000006
【図５】
2012029248.tif 000007
【図６】
2012029248.tif 000008
【図７】
2012029248.tif 000009
【図８】
2012029248.tif 000010
【図９】
2012029248.tif 000011
【図１０】
2012029248.tif 000012
【図１１】
2012029248.tif 000013
【図１２】
2012029248.tif 000014
【図１３】
2012029248.tif 000015
【図１４】
2012029248.tif 000016
【図１５】
2012029248.tif 000017
【図１６】
2012029248.tif 000018
【図１７】
2012029248.tif 000019
【手続補正書】
【提出日】平成23年11月7日(2011.11.7)
【手続補正１】
【補正対象書類名】明細書
【補正対象項目名】００１０
【補正方法】変更
【補正の内容】
【００１０】
実施形態の放送受信装置は、放送信号受信部と、制御部と、を有する。前記放送信号受信部は、複数のチャンネルの放送信号を受信する。前記制御部は、同時視聴するコンテンツを含む２以上のチャンネルを第１のチャンネル群として前記複数のチャンネルの中から選択して設定させるための第１の設定画面を表示部に表示させる制御を行うとともに、前記第１の設定画面において設定された設定内容に基づき、録画するコンテンツを含む１以上のチャンネルを第２のチャンネル群として前記第１のチャンネル群の中から選択して設定させるための第２の設定画面を前記表示部に表示させる制御を行う。さらに、前記制御部は、録画する時間帯及び曜日をそれぞれ選択して設定させることが可能であるとともに、前記放送受信装置のメンテナンスを実施する時間帯を含む第３の設定画面を前記表示部に表示させる制御を行う。
【手続補正２】
【補正対象書類名】特許請求の範囲
【補正対象項目名】全文
【補正方法】変更
【補正の内容】
【特許請求の範囲】
【請求項１】
複数のチャンネルの放送信号を受信する放送信号受信部と、
同時視聴するコンテンツを含む２以上のチャンネルを第１のチャンネル群として前記複数のチャンネルの中から選択して設定させるための第１の設定画面を表示部に表示させる制御を行うとともに、前記第１の設定画面において設定された設定内容に基づき、録画するコンテンツを含む１以上のチャンネルを第２のチャンネル群として前記第１のチャンネル群の中から選択して設定させるための第２の設定画面を前記表示部に表示させる制御を行う制御部と、を有する放送受信装置であって、
前記制御部は、録画する時間帯及び曜日をそれぞれ選択して設定させることが可能であるとともに、前記放送受信装置のメンテナンスを実施する時間帯を含む第３の設定画面を前記表示部に表示させる制御をさらに行うことを特徴とする放送受信装置。
【請求項２】
複数のチャンネルの放送信号を受信する放送信号受信部と、
同時視聴するコンテンツを含む２以上のチャンネルを第１のチャンネル群として前記複数のチャンネルの中から選択して設定させるための第１の設定画面を表示部に表示させる制御を行うとともに、前記第１の設定画面において設定された設定内容に基づき、録画するコンテンツを含む１以上のチャンネルを第２のチャンネル群として前記第１のチャンネル群の中から選択して設定させるための第２の設定画面を前記表示部に表示させる制御を行う制御部と、を有する放送受信装置であって、
前記制御部は、前記第２のチャンネル群として選択されているチャンネル数に応じ、録画されるコンテンツの保存可能期間を告知するための告知情報を前記第２の設定画面に表示させるための制御、及び、録画する時間帯及び曜日をそれぞれ選択して設定させることが可能であるとともに、前記放送受信装置のメンテナンスを実施する時間帯を含む第３の設定画面を前記表示部に表示させる制御をそれぞれ行うことを特徴とする放送受信装置。
【請求項３】
前記制御部は、前記第２のチャンネル群として選択されているチャンネル数に応じ、録画されるコンテンツの保存可能期間を告知するための告知情報を前記第２の設定画面に表示させることを特徴とする請求項１に記載の放送受信装置。
【請求項４】
前記制御部は、前記放送受信装置のメンテナンスの開始時刻を選択して設定させることが可能な第４の設定画面を前記表示部に表示させる制御をさらに行うことを特徴とする請求項１乃至３のいずれか一項に記載の放送受信装置。
【請求項５】
前記制御部は、前記第３の設定画面において設定された第１の時間帯と、前記放送受信装置のメンテナンスを実施する第２の時間帯との少なくとも一部が重複していることを検出した場合に、前記第１の時間帯に重複しない他の時間帯へ前記第２の時間帯を移動させることを特徴とする請求項１乃至４のいずれか一項に記載の放送受信装置。
【請求項６】
前記制御部は、前記放送受信装置に対する入力操作が可能な入力装置における所定のボタンが操作されたことに伴って送信される操作情報と、前記第２の設定画面及び前記第３の設定画面において設定された設定内容と、に基づき、現在視聴中のチャンネルのコンテンツが録画されているコンテンツであることを検出した場合に、当該コンテンツを最初から再生させる制御を行うことを特徴とする請求項１乃至５のいずれか一項に記載の放送受信装置。